(57)【特許請求の範囲】
【請求項１】
ディスク状記録媒体が装着されるターンテーブルを有するトレイと、
該トレイを収納するシールドカバーと、
該トレイの一側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第１のトレイガイド機構と、
前記トレイの他側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第２のトレイガイド機構と、
を備えてなるディスク装置において、
前記第１のトレイガイド機構または前記第２のトレイガイド機構のうち何れか一方を垂直に設け、
前記第１のトレイガイド機構または前記第２のトレイガイド機構のうち何れか他方を水平に設け、
前記トレイを水平状態で移動させる場合と前記トレイを垂直状態で移動させる場合で、前記第１のトレイガイド機構及び前記第２のトレイガイド機構の前記ガイドレール及び前記摺動レールの摺動面積の合計が略等しいことを特徴とするディスク装置。
【請求項２】
前記第１のトレイガイド機構または前記第２のトレイガイド機構のうち前記水平に配置されたトレイガイド機構と前記シールドカバーの底面との間にフレキシブル配線板を介在させたことを特徴とする請求項１記載のディスク装置。
【発明の詳細な説明】
【０００１】
【発明の属する技術分野】
本発明はディスク装置に係り、特にディスク状記録媒体が装着されたトレイを記録再生可能な装着位置へ移動可能に設けられたディスク装置に関する。
【０００２】
【従来の技術】
従来のディスク装置としては、例えばノート型のパーソナルコンピュータ等に搭載されるように構成されたＣＤ−ＲＯＭ装置がある。この種のＣＤ−ＲＯＭ装置では、ディスク状記録媒体が装着されるトレイの横幅寸法をディスク状記録媒体（以下、単に「ディスク」と称す）の直径よりも小さくすることでパーソナルコンピュータの薄型化及び軽量化に対応させている。
【０００３】
この種のＣＤ−ＲＯＭ装置としては、例えば、図１（Ａ）に示されるように、金属製のフレーム１のトレイ収納部２内にトレイ３が摺動可能に支持されており、トレイ３の上面にはディスクがクランプされるターンテーブル４が設けられている。また、トレイ３の内部には、ターンテーブル４を回転駆動するモータ（ターンテーブルに隠れて見えない）やディスクに記録された情報を読み取る光ピックアップ５が設けられている。
【０００４】
また、トレイ３は、その前面に取り付けられた前面ベゼル６に設けられたイジェクト釦（図示せず）が押圧操作されることで、ロック機構（図示せず）によるロックが解除され、イジェクト方向に移動可能となる。さらに、トレイ３は、横幅寸法がディスクの直径（１２ｃｍ）よりも小さく形成されている。
【０００５】
そして、トレイ収納部２の側方には、トレイ３から三日月状にはみ出したディスクのはみ出し部と対向するようにフレーム１の張り出し部８が延在形成されている。また、トレイ収納部２に収納されたトレイ３及びフレーム１の張り出し部８の上方は、板金製のカバー（図示せず）により覆われる。
【０００６】
ターンテーブル４にクランプされたディスクは、トレイ３の上面３ａと張り出し部８に対向するように装着され、カバーにより覆われた空間内を回転駆動される。
【０００７】
図１（Ｂ）に示されるように、トレイ３は、左右側面をトレイガイド機構９により摺動可能に支持されている。トレイガイド機構９は、フレーム１の左右側面とトレイ３の左右側面との間に介在するように取り付けられている。
【０００８】
また、トレイガイド機構９は、トレイ３の側面に固定されたガイドレール９ａと、ガイドレール９ａを摺動するように断面がＣ字状に形成された摺動レール９ｂと、摺動レール９ｂを囲むようにＣ字状に形成されたガイドレール９ｃとから構成されている。このトレイガイド機構９は、ディスク装置が水平な状態で使用されるときは、トレイ３の左右側面に設けられた一対のトレイガイド機構９により摺動可能に支持される。
【０００９】
【発明が解決しようとする課題】
しかしながら、上記のように構成されたディスク装置では、トレイ３の左右側面に設けられた一対のトレイガイド機構９が同じ向きに設けられているため、ディスク装置が水平な状態に設置された場合には、一対のトレイガイド機構９の接地面積が小さく、ディスク装置が垂直な状態に設置された場合には、一対のトレイガイド機構９の接地面積が大きくなる。
【００１０】
トレイ１には、光ピックアップが搭載されており、レーザダイオードや反射ミラー、対物レンズ等の精密な光学部品が設けられている。そのため、ディスク装置の向きによってトレイ３の支持構造が異なると、振動特性（共振周波数）が変化してしまい、ディスク装置の向きに拘らず同じ振動特性を有するようにトレイ１を支持することができない。
【００１１】
よって、従来の構成では、ディスク装置の向きによって振動特性が安定する場合と、振動特性が不安的になる場合があり、ディスク装置の信頼性を損なう原因になっていた。
【００１２】
そこで、本発明は上記課題を解決したディスク装置を提供することを目的とする。
【００１３】
【課題を解決するための手段】
上記課題を解決するために本発明では、以下のような特徴を有する。
【００１４】
上記請求項１記載の発明は、ディスク状記録媒体が装着されるターンテーブルを有するトレイと、該トレイを収納するシールドカバーと、該トレイの一側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第１のトレイガイド機構と、前記トレイの他側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第２のトレイガイド機構と、を備えてなるディスク装置において、前記第１のトレイガイド機構または前記第２のトレイガイド機構のうち何れか一方を垂直に設け、前記第１のトレイガイド機構または前記第２のトレイガイド機構のうち何れか他方を水平に設け、前記トレイを水平状態で移動させる場合と前記トレイを垂直状態で移動させる場合で、前記第１のトレイガイド機構及び前記第２のトレイガイド機構の前記ガイドレール及び前記摺動レールの摺動面積の合計が略等しいものであり、ディスク装置が水平に設置された場合でも垂直に設置された場合でも同じ条件でトレイを支持することが可能になり、ディスク装置の取り付け方向によって振動特性が変化することを防止して信頼性を高めることができる。
【００１５】
また、請求項２記載の発明は、前記第１のトレイガイド機構または前記第２のトレイガイド機構のうち前記水平に配置されたトレイガイド機構と前記シールドカバーの底面との間にフレキシブル配線板を介在させたものであり、ディスク装置の取り付け方向によって振動特性が変化することを防止して信頼性を高めることができると共に、フレキシブル配線板の設置スペースを省スペース化して装置の小型化に対応することが可能である。
【００１６】
【発明の実施の形態】
以下、図面と共に本発明の一実施例について説明する。
【００１７】
図２は本発明になるディスク装置の一実施例を示す斜視図である。図３は本発明になるディスク装置の一実施例を正面からみた縦断面図である。
【００１８】
図２及び図３に示されるように、ディスク装置１１は、例えばＣＤ−ＲＯＭあるいはＣＤ−Ｒ，ＣＤ−ＲＷ，ＤＶＤ−ＲＯＭ，ＤＶＤ−ＲＡＭ等のディスク状記録媒体が装着されるドライブ装置であり、シールドカバー１６の内部にトレイ２０が摺動可能に支持されている。また、ディスク装置１１は、トレイ２０に光ディスク２２（一点鎖線で示す）が載置されてトレイ２０が装着位置（Ｂ方向）に移動されると、トレイ２０がシールドカバー１６の内部に収容されて情報の記録または再生を行う。
【００１９】
トレイ２０は、光ディスク２２をクランプして回転駆動するターンテーブル１８と、光ディスク２２の半径方向に移動可能に設けられ光ディスク２２に情報を記録したり、あるいは光ディスク２２に記録された情報を光学的に読み取る光ピックアップ２６を有する。
【００２０】
また、ターンテーブル１８は、ディスク２２の中央孔に嵌合してディスク２２を内周からクランプするクランプ機構２３を有する。そして、ターンテーブル１８の周囲には、光ディスク２２の直径よりも大径なディスク収納部２４が形成されている。
【００２１】
さらに、ディスク収納部２４の下方には、ターンテーブル１８のクランプ機構２３にクランプされたディスク２２に記録された情報を読み取るための光ピックアップ２６がディスク半径方向に移動可能に取り付けられている。そして、トレイ２０は、ターンテーブル１８及び光ピックアップ２６の移動範囲を除く部分、右側端部が薄く形成されている。これにより、トレイ２０の右側端部とシールドカバー１６の右側底面６０との間には、フレキシブル配線板１４がＵ字状に曲げられた状態で収納される空間６１が形成される。
【００２２】
シールドカバー１６に設けられたコネクタ１２（図２中、破線で示す）とトレイ２０の下面に取り付けられたコネクタ１３（図２中、破線で示す）との間は、フレキシブル配線板１４（図２中、破線で示す）を介して電気的に接続されている。尚、フレキシブル配線板１４は、コネクタ１３を介してターンテーブル駆動モータ２５及び光ピックアップ２６に接続される。
【００２３】
フレキシブル配線板１４は、固定側のコネクタ１２に接続される第１の配線板１５と、可動側のコネクタ１３に接続される第２の配線板１７と、第１の配線板１５と第２の配線板１７とを接続する第３の配線板１９とを有する。
【００２４】
第２の配線板１７は、第３の配線板１９よりＢ方向に延在しているが、途中でＵ字状に曲げられており、その端部がトレイ２０の下面に取り付けられたコネクタ１３に接続される。そのため、フレキシブル配線板１４の第２の配線板１７は、トレイ２０の移動に伴ってその曲げ部分がＡ，Ｂ方向に移動するように設けられている。
【００２５】
また、トレイ２０は、シールドカバー１６の左側面（第１のトレイ支持部）６４、右側面６６及び右側底面（第２のトレイ支持部）６０に支持されたトレイガイド機構３０，３２によりＡ，Ｂ方向に摺動自在に支持されており、手動操作でディスク交換位置またはディスク装着位置へ移動する。そのため、ディスク装置１１では、トレイガイド機構３０，３２が従来のようなフレームに支持される構成ではなく、シールドカバー１６に支持される構成であるので、各部材の寸法公差の累積値が小さくなってトレイ２０とシールドカバー１６とのクリアランスを小さくすることが可能になり、且つ従来のフレームを無くしてフレームの厚さ分の薄型化を図ることが可能になっている。
【００２６】
また、フレキシブル配線板１４は、第１の配線板１５がシールドカバー１６の右側底面６０とトレイガイド機構３２との間に介在するように固定され、且つ右側底面６０とトレイ２０のディスク収納部２４との間に形成された空間６１内には第２の配線板１７がＵ字状に曲げられた状態で収納される。そのため、フレキシブル配線板１４は、高さ寸法が限界値になっているターンテーブル１８の取付位置及び光ピックアップ２６の移動範囲から外れた空間６１内に収納されているので、ディスク装置１１の薄型化に寄与しうる。
【００２７】
トレイ２０の左側に配置された第１のトレイガイド機構３０は、縦方向に摺動面積が大きくなる向きで設けられており、トレイ２０の右側に配置された第２のトレイガイド機構３２は、横方向に摺動面積が大きくなる向きで設けられている。
【００２８】
また、第１のトレイガイド機構３０は、垂直な状態に取り付けられており、トレイ２０の左側面に固定された断面がＴ字状のガイドレール（可動側ガイドレール）３４と、ガイドレール３４の左側面及び上下突部を摺動するように断面がＣ字状に形成された摺動レール３６と、シールドカバー１６に固定されており摺動レール３６の左側面及び上下端部を囲むようにＣ字状に形成されたガイドレール（固定側ガイドレール）３８と、から構成されている。
【００２９】
第２のトレイガイド機構３２は、上記第１のトレイガイド機構３０と向きが９０°異なる水平状態に取り付けられており、トレイ２０の右側下面に固定された断面がＴ字状のガイドレール（可動側ガイドレール）４０と、ガイドレール４０の下面及び左右突部を摺動するように断面がＣ字状に形成された摺動レール４２と、シールドカバー１６に固定されており摺動レール４２の下面及び左右端部を囲むようにＣ字状に形成されたガイドレール（固定側ガイドレール）４４とから構成されている。
【００３０】
トレイ２０は、前面ベゼル４６に設けられたイジェクトスイッチ釦４８が押圧操作されると、ロック機構（図示せず）によるロックが解除されてＡ方向に所定距離だけ押し出される。これにより、操作者は、手動操作で前面ベゼル４６をＡ方向に引き出すことで、トレイガイド機構３０，３２によりガイドされたトレイ２０がＡ方向に摺動し、ディスク収納部２４がシールドカバー１６から抜け出して露出されたディスク交換位置に至る。
【００３１】
そのため、ディスク装置１１は、水平状態のとき、第１のトレイガイド機構３０よりも第２のトレイガイド機構３２の方がより接地面積が大きくなる。また、ディスク装置１１では、垂直状態のとき、第２のトレイガイド機構３２よりも第１のトレイガイド機構３０の方がより接地面積が大きくなる。
【００３２】
そして、水平状態のときと垂直状態のときで、両トレイガイド機構３０，３２の接地面積の合計が略等しくなるように構成されている。よって、トレイ２０は、水平な状態でも垂直な状態でもトレイガイド機構３０，３２によりほぼ同じ条件で摺動可能に支持されるため、ディスク装置１１の向きによってトレイ２０に搭載されたターンテーブル１８及び光ピックアップ２６を支持する構成の振動特性を改善することが可能になる。
【００３３】
従って、ディスク装置１１は、水平に設置された場合でも垂直に設置された場合でも同じ条件でトレイ２０を支持することが可能になり、取り付け方向によって振動特性が変化することを防止して振動に対する信頼性を高めることができる。
【００３４】
また、ターンテーブル駆動モータ２５及び光ピックアップ２６の高さ寸法が殆ど限界まで小さくされているので、ターンテーブル１８の取付位置及び光ピックアップ２６の移動範囲を含む領域において、これ以上の薄型化が難しい。そのため、ディスク装置１１では、上記トレイ２０の下面に対向するシールドカバー１６の領域には、開口５０が形成されている。そして、トレイ２０の下面には、この開口５０に対応する形状に形成されたシールド板５２が固着されている。
【００３５】
また、ターンテーブル駆動モータ２５及び光ピックアップ２６は、シールドカバー１６及びシールド板５２によって電磁波の影響を受けないように保護されている。さらに、シールドカバー１６の右側底面６０とシールド板５２は、Ｃ，Ｄ方向に並べられ、且つ高さ方向に重ならないように配されており、薄型化に寄与している。
【００３６】
図４はディスク装置１１の平面図である。図５はディスク装置１１の正面図である。図６はディスク装置１１の背面図である。図７はディスク装置１１の右側面図である。図８はディスク装置１１の底面図である。
【００３７】
図４乃至図８に示されるように、トレイ２０がシールドカバー１６の内部に収納された状態のディスク装置１１は、前面ベゼル４６のみがシールドカバー１６の前側に露出したディスク装着状態であり、ターンテーブル１８に装着された光ディスク２２に対して光ピックアップ２６が情報の読み取り、または情報の書き込みを行う。
【００３８】
また、前面ベゼル４６には、ターンテーブル１８が駆動中であるときに点滅するＬＥＤ（発光ダイオード）のレンズ５４と、イジェクトスイッチ釦４８を押圧操作してもトレイ２０をイジェクトできない場合にクリップ等の針金を挿入してトレイ２０のロックを解除するための緊急イジェクト操作用の挿入孔５６とが設けられている。
【００３９】
さらに、前面ベゼル４６は、正面からみると、ターンテーブル１８の取付位置及び光ピックアップ２６の移動範囲を覆う領域４６ａの高さＨａより左右側面近傍の領域４６ｂ，４６ｃの高さＨｂ、Ｈｃが小さくなるように形成されている。そのため、前面ベゼル４６は、領域４６ａを除く領域４６ｂ，４６ｃが薄くなっており、領域４６ａが左右の領域４６ｂ，４６ｃに対してＨａ−Ｈｂ、Ｈａ−Ｈｃの差だけ下方に突出している。
【００４０】
シールドカバー１６の左右側面及び背面の底部には、パーソナルコンピュータ（図示せず）のフレームに固定される固定部５８が水平方向に突出している。
【００４１】
また、ディスク装置１１の底面は、シールドカバー１６と一体に形成された右側底面６０と、トレイ２０の下面に取り付けられたシールド板５２とにより形成されている。シールドカバー１６の右側底面６０は、前面ベゼル４６の右側の領域４６ｃに対応しており、シールド板５２の取付位置よりも高さ寸法が小さくなるように形成されている。
【００４２】
シールド板５２は、ターンテーブル１８の取付位置及び光ピックアップ２６の移動範囲の下方を覆うように形成されており、複数のビス６２により締結される。また、シールド板５２は、前面ベゼル４６の領域４６ａに対応するように下方に盛り上がる形状にプレス加工されているため、下方からみると、ターンテーブル１８の取付位置及び光ピックアップ２６の移動範囲に対応する前側領域５２ａが後側領域５２ｂよりも厚くなっており、前側領域５２ａと後側領域５２ｂとの境界には段差５２ｃが形成されている。
【００４３】
ここで、シールドカバー１６の構成について説明する。
【００４４】
図９はシールドカバー１６の平面図である。図１０はシールドカバー１６の正面図である。図１１はシールドカバー１６の背面図である。図１２はシールドカバー１６の右側面図である。図１３はシールドカバー１６の底面図である。
【００４５】
図９乃至図１３に示されるように、シールドカバー１６は、トレイ２０のディスク収納部２４を覆う上面６２と、上面６２の左右端部より下方に曲げられた左右側面６４，６６と、上面６２の後端部より下方に曲げられた背面６８と、右側面６６の下端よりトレイ２０の下面に対向するように曲げられた右側底面６０とを有する。
【００４６】
上面６２のほぼ中央には、ターンテーブル１８に対向する位置に貫通孔６２ａが設けられており、且つ貫通孔６２ａの周囲が一段下方に凹んだ凹部６２ｂが設けられている。尚、貫通孔６２ａは、透明な粘着シール（図示せず）により密閉される。また、上面６２には、ディスクの最外周に対向するように複数の補強用リブ６２ｃ〜６２ｇが突出しており、強度が確保されると共に、ディスク回転中に外部衝撃によってディスクが上方に変位した場合に、補強用リブ６２ｃ〜６２ｇがディスク最外周に摺接し、ディスク最外周以外の部位が上面６２に摺接することを防止してディスクを保護する。
【００４７】
シールドカバー１６の右側底面６０の前面側端部には、下方に一段凹んだ凹部７０が設けられており、この凹部７０にはトレイ２０がディスク装着位置に移動したときにトレイ２０をロックするロックレバー（図示せず）を係止するためのロックピン７２，７３が起立している。
【００４８】
また、シールドカバー１６の背面６８は、右側底面６０に支持されたコネクタ１２の接続部を露出させるためのコネクタ開口部７４を有する。
【００４９】
ここで、フレキシブル配線板１４の構成について説明する。
【００５０】
図１４（Ａ）（Ｂ）はフレキシブル配線板１４の形状を示す平面図である。図１５はフレキシブル配線板１４取り付け状態を示す図であり、（Ａ）は平面図、（Ｂ）は側面図である。
【００５１】
図１４（Ａ）に示されるように、フレキシブル配線板１４は、第１の配線板１５と、第２の配線板１７とが平行に延在し、且つ第１の配線板１５と第２の配線板１７との端部が第３の配線板１９と連続するように一体的に形成されている。第１の配線板１５は、固定側のコネクタ１２に接続される複数の電極が並列に形成された端子１５ａを有し、第２の配線板１７は、可動側のコネクタ１３に接続される複数の電極が並列に形成された端子１７ａを有する。
【００５２】
図１４（Ｂ）に示されるように、第１の配線板１５は、Ａ，Ｂ方向に延在する中心線８０で折り曲げられ、中心線８０より左側の領域１５ｂの上に中心線８０より右側の領域１５ｃが重なるように畳む。これにより、第１の配線板１５は、横幅寸法が半分になり、ディスク装置１１の省スペース化に対応することが可能になる。
【００５３】
図１５（Ａ）に示されるように、フレキシブル配線板１４をディスク装置１１に取り付ける際は、第２の配線板１７をＵ字状に曲げてＡ方向に延在するように形成する。このように、第２の配線板１７は、曲げ部１７ｂを形成することにより端子１７ａをトレイ２０のコネクタ１３に接続することができると共に、トレイ２０がＡ，Ｂ方向に移動するのに伴って曲げ部１７ｂも移動してトレイ２０の移動を妨げないように動作する。
【００５４】
図１６はディスク装置１１がノート型パーソナルコンピュータに組み込まれた状態を示す縦断面図である。
【００５５】
図１６に示されるように、ディスク装置１１は、ノート型パーソナルコンピュータ８２の側面に形成されたディスク装置収納部８４に挿入された状態でシールドカバー１６の左右側面６４，６６、背面６８より突出する固定部５８をメインフレーム８６にビスなどにより締結する。そして、ディスク装置１１の上方にキーボード８８を取り付ける。
【００５６】
ノート型パーソナルコンピュータ８２は、トレイ２０をガイドするトレイガイド機構３０，３２がシールドカバー１６に支持される構成であるので、トレイ２０とシールドカバー１６との間に介在する各部品のクリアランスの累積値が小さくなり、薄型化が図れると共に、ディスク装置１１が従来のフレームを不要にした構成であるので、フレームの厚さ分の薄型化を図かることが可能になる。
【００５７】
尚、上記実施例では、ノート型パーソナルコンピュータ８２に組み込まれるディスク装置１１を一例として説明したが、これに限らず、筐体を縦型にして薄型化されたデスクトップ型のパーソナルコンピュータにも適用できるのは勿論である。
【００５８】
【発明の効果】
上述の如く、請求項１記載の発明によれば、ディスク状記録媒体が装着されるターンテーブルを有するトレイと、該トレイを収納するシールドカバーと、該トレイの一側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第１のトレイガイド機構と、前記トレイの他側に固定された可動側ガイドレールと、前記シールドカバーに固定された固定側ガイドレールと、前記可動側ガイドレールと前記固定側ガイドレールとの間で摺動する摺動レールとを有し、前記トレイをディスク交換位置とディスク装着位置との間で移動可能に支持する第２のトレイガイド機構と、を備えてなるディスク装置において、前記第１のトレイガイド機構または前記第２のトレイガイド機構のうち何れか一方を垂直に設け、前記第１のトレイガイド機構または前記第２のトレイガイド機構のうち何れか他方を水平に設け、前記トレイを水平状態で移動させる場合と前記トレイを垂直状態で移動させる場合で、前記第１のトレイガイド機構及び前記第２のトレイガイド機構の前記ガイドレール及び前記摺動レールの摺動面積の合計が略等しいため、ディスク装置が水平に設置された場合でも垂直に設置された場合でも同じ条件でトレイを支持することが可能になり、ディスク装置の取り付け方向によって振動特性が変化することを防止して振動に対する信頼性を高めることができる。
【００５９】
また、請求項２記載の発明によれば、第１のトレイガイド機構または第２のトレイガイド機構のうち水平に配置されたトレイガイド機構と前記シールドカバーの底面との間にフレキシブル配線板を介在させたため、ディスク装置の取り付け方向によって振動特性が変化することを防止して信頼性を高めることができると共に、フレキシブル配線板の設置スペースを省スペース化して装置の小型化に対応することができる。
【図面の簡単な説明】
【図１】従来のディスク装置の一例を示す図である。
【図２】本発明になるディスク装置の一実施例を示す斜視図である。
【図３】本発明になるディスク装置の一実施例を正面からみた縦断面図である。
【図４】ディスク装置１１の平面図である。
【図５】ディスク装置１１の正面図である。
【図６】ディスク装置１１の背面図である。
【図７】ディスク装置１１の右側面図である。
【図８】ディスク装置１１の底面図である。
【図９】シールドカバー１６の平面図である。
【図１０】シールドカバー１６の正面図である。
【図１１】シールドカバー１６の背面図である。
【図１２】シールドカバー１６の右側面図である。
【図１３】シールドカバー１６の底面図である。
【図１４】フレキシブル配線板１４の形状を示す平面図である。
【図１５】フレキシブル配線板１４取り付け状態を示す図であり、（Ａ）は平面図、（Ｂ）は側面図である。
【図１６】ディスク装置１１がノート型パーソナルコンピュータに組み込まれた状態を示す縦断面図である。
【符号の説明】
１１  ディスク装置
１２，１３  コネクタ
１４  フレキシブル配線板
１５  第１の配線板
１６  シールドカバー
１７  第２の配線板
１８  ターンテーブル
１９  第３の配線板
２０  トレイ
２２  光ディスク
２３  クランプ機構
２４  ディスク収納部
２５  ターンテーブル駆動モータ
２６  光ピックアップ
３０，３２  トレイガイド機構
４６  前面ベゼル
５０  開口
５２  シールド板
６０  右側底面
６１  空間
６２  上面
６４，６６  左右側面
６８  背面
７４  コネクタ開口部
８２  ノート型パーソナルコンピュータ
８４  ディスク装置収納部
【図１】
0003873774.tif 000002
【図２】
0003873774.tif 000003
【図３】
0003873774.tif 000004
【図４】
0003873774.tif 000005
【図５】
0003873774.tif 000006
【図６】
0003873774.tif 000007
【図７】
0003873774.tif 000008
【図８】
0003873774.tif 000009
【図９】
0003873774.tif 000010
【図１０】
0003873774.tif 000011
【図１１】
0003873774.tif 000012
【図１２】
0003873774.tif 000013
【図１３】
0003873774.tif 000014
【図１４】
0003873774.tif 000015
【図１５】
0003873774.tif 000016
【図１６】
0003873774.tif 000017